(57)【要約】      （修正有）【課題】移送中のしわや型崩れの発生を防ぎつつコンテナへの収容量を増やして移送効率を高めることが可能な衣類移送方法の提供。【解決手段】衣類を容器に収容して移送する方法であって、衣類の身頃の内面に当接する身頃当接部、及び、該身頃当接部から左右斜外方向に延設され、衣類の左右の肩の内面にそれぞれ当接する肩当接部、を有するハンガー台紙と、フック部、及び、該フック部の左右外方向に延設され、前記ハンガー台紙を前記肩当接部において釣支する台紙吊着部、を有するハンガー本体と、からなる紙製ハンガー１を装着した衣類を、容器内に平積みして梱包体を形成する手順を含み、ここで、前記ハンガー台紙及び前記ハンガー本体は、それぞれ一枚の紙から形成され、前記ハンガー本体は、前記フック部及び前記台紙吊着部をそれぞれ有しかつ前記フック部において折曲線を介して連設された２つのハンガー部材からなる、衣類移送方法である。【選択図】図１２
2019151364.tif 000002
【特許請求の範囲】
【請求項１】
衣類を容器に収容して移送する方法であって、
衣類の身頃の内面に当接する身頃当接部、及び、該身頃当接部から左右斜外方向に延設され、衣類の左右の肩の内面にそれぞれ当接する肩当接部、を有するハンガー台紙と、
フック部、及び、該フック部の左右外方向に延設され、前記ハンガー台紙を前記肩当接部において釣支する台紙吊着部、を有するハンガー本体と、
からなる紙製ハンガーを装着した衣類を、容器内に平積みして梱包体を形成する手順と、
該梱包体を移送元から移送先に移送する手順と、を含み、
ここで、
前記ハンガー台紙及び前記ハンガー本体は、それぞれ一枚の紙から形成され、
前記ハンガー本体は、前記フック部及び前記台紙吊着部をそれぞれ有しかつ前記フック部において折曲線を介して連設された２つのハンガー部材からなり、
前記ハンガー台紙の前記身頃当接部は、左右一対のスリットを有し、前記肩当接部は該スリットへの係止片を有し、
前記ハンガー台紙の前記肩当接部を前記ハンガー本体の前記台紙吊着部に巻着し、前記係止片を前記スリットに係止させることにより、前記ハンガー台紙を前記ハンガー本体に掛着し得る、衣類移送方法。
【請求項２】
前記手順において、衣類は、少なくともその身頃において折り畳まれない、請求項１記載の衣類移送方法。
【請求項３】
前記手順において、前記紙製ハンガーを装着した衣類を前記容器内で上下交互に積み上げる、請求項１又は２記載の衣類移送方法。
【請求項４】
移送元及び移送先が、衣類の製造地及び検品地であるか、及び／又は、検品地から販売地である、請求項１〜３のいずれか一項に記載の衣類移送方法。
【請求項５】
衣類が収容された梱包体の製造方法であって、
衣類の身頃の内面に当接する身頃当接部、及び、該身頃当接部から左右斜外方向に延設され、衣類の左右の肩の内面にそれぞれ当接する肩当接部、を有するハンガー台紙と、
フック部、及び、該フック部の左右外方向に延設され、前記ハンガー台紙を前記肩当接部において釣支する台紙吊着部、を有するハンガー本体と、
からなる紙製ハンガーを衣類に装着する工程と、
前記紙製ハンガーを装着した衣類を、容器内に平積みして梱包体を形成する工程と、を含み、
ここで、
前記ハンガー台紙及び前記ハンガー本体は、それぞれ一枚の紙から形成され、
前記ハンガー本体は、前記フック部及び前記台紙吊着部をそれぞれ有しかつ前記フック部において折曲線を介して連設された２つのハンガー部材からなり、
前記ハンガー台紙の前記身頃当接部は、左右一対のスリットを有し、前記肩当接部は該スリットへの係止片を有し、
前記ハンガー台紙の前記肩当接部を前記ハンガー本体の前記台紙吊着部に巻着し、前記係止片を前記スリットに係止させることにより、前記ハンガー台紙を前記ハンガー本体に掛着し得る、衣類梱包体製造方法。
【請求項６】
衣類が容器に収容された梱包体であって、
衣類の身頃の内面に当接する身頃当接部、及び、該身頃当接部から左右斜外方向に延設され、衣類の左右の肩の内面にそれぞれ当接する肩当接部、を有するハンガー台紙と、
フック部、及び、該フック部の左右外方向に延設され、前記ハンガー台紙を前記肩当接部において釣支する台紙吊着部、を有するハンガー本体と、
からなる紙製ハンガーが装着された衣類が、容器内に平積みされた梱包体；
ここで、
前記ハンガー台紙及び前記ハンガー本体は、それぞれ一枚の紙から形成され、
前記ハンガー本体は、前記フック部及び前記台紙吊着部をそれぞれ有しかつ前記フック部において折曲線を介して連設された２つのハンガー部材からなり、
前記ハンガー台紙の前記身頃当接部は、左右一対のスリットを有し、前記肩当接部は該スリットへの係止片を有し、
前記ハンガー台紙の前記肩当接部を前記ハンガー本体の前記台紙吊着部に巻着し、前記係止片を前記スリットに係止させることにより、前記ハンガー台紙を前記ハンガー本体に掛着し得る。
【請求項７】
衣類の身頃の内面に当接する身頃当接部、及び、該身頃当接部から左右斜外方向に延設され、衣類の左右の肩の内面にそれぞれ当接する肩当接部、を有するハンガー台紙と、
フック部、及び、該フック部の左右外方向に延設され、前記ハンガー台紙を前記肩当接部において釣支する台紙吊着部、を有するハンガー本体と、
からなる紙製ハンガーであり、
前記ハンガー台紙及び前記ハンガー本体は、それぞれ一枚の紙から形成され、
前記ハンガー本体は、前記フック部及び前記台紙吊着部をそれぞれ有しかつ前記フック部において折曲線を介して連設された２つのハンガー部材からなり、
前記ハンガー台紙の前記身頃当接部は、左右一対のスリットを有し、前記肩当接部は該スリットへの係止片を有し、
前記ハンガー台紙の前記肩当接部を前記ハンガー本体の前記台紙吊着部に巻着し、前記係止片を前記スリットに係止させることにより、前記ハンガー台紙を前記ハンガー本体に掛着し得る、紙製ハンガー。
【請求項８】
板紙製である、請求項７記載の紙製ハンガー。
【発明の詳細な説明】
【技術分野】
【０００１】
本発明は、衣類移送方法、衣類梱包体製造方法、衣類梱包体及び紙製ハンガーに関する。より詳しくは、紙製ハンガーを装着した衣類を容器内に平積みして梱包し移送する方法等等に関する。
【背景技術】
【０００２】
従来、ジャケット等の衣類の移送は、移送中のしわや型崩れの発生を防ぐため、衣類をプラスチック製ハンガーに吊り下げた状態でコンテナに収容して行われている（いわゆるハンガーコンテナやハンガートラック）。しかし、この方法では、コンテナへの収容量が限られ輸送効率が悪く、プラスチック製ハンガーのコストが嵩み、移送後のハンガーの処分に手間がかかるという問題がある。
【発明の概要】
【発明が解決しようとする課題】
【０００３】
本発明は、移送中のしわや型崩れの発生を防ぎつつコンテナへの収容量を増やして移送効率を高めることが可能な衣類移送方法を提供することを主な目的とする。
【課題を解決するための手段】
【０００４】
上記課題解決のため、本発明は、以下の［１］〜［１５］を提供する。
［１］  衣類を容器に収容して移送する方法であって、
衣類の身頃の内面に当接する身頃当接部、及び、該身頃当接部から左右斜外方向に延設され、衣類の左右の肩の内面にそれぞれ当接する肩当接部、を有するハンガー台紙と、
フック部、及び、該フック部の左右外方向に延設され、前記ハンガー台紙を前記肩当接部において釣支する台紙吊着部、を有するハンガー本体と、
からなる紙製ハンガーを装着した衣類を、容器内に平積みして梱包体を形成する手順と、
該梱包体を移送元から移送先に移送する手順と、を含み、
ここで、
前記ハンガー台紙及び前記ハンガー本体は、それぞれ一枚の紙から形成され、
前記ハンガー本体は、前記フック部及び前記台紙吊着部をそれぞれ有しかつ前記フック部において折曲線を介して連設された２つのハンガー部材からなり、
前記ハンガー台紙の前記身頃当接部は、左右一対のスリットを有し、前記肩当接部は該スリットへの係止片を有し、
前記ハンガー台紙の前記肩当接部を前記ハンガー本体の前記台紙吊着部に巻着し、前記係止片を前記スリットに係止させることにより、前記ハンガー台紙を前記ハンガー本体に掛着し得る、衣類移送方法。
［２］  前記手順において、衣類は、少なくともその身頃において折り畳まれない、［１］の衣類移送方法。
［３］  前記手順において、前記紙製ハンガーを装着した衣類を前記容器内で上下交互に積み上げる、［１］又は［２］の衣類移送方法。
［４］  移送元及び移送先が、衣類の製造地及び検品地であるか、及び／又は、検品地から販売地である、［１］〜［３］のいずれかの衣類移送方法。
［５］  前記紙製ハンガーが、板紙製である、［１］〜［４］のいずれかの衣類移送方法。
【０００５】
［６］  衣類が収容された梱包体の製造方法であって、
衣類の身頃の内面に当接する身頃当接部、及び、該身頃当接部から左右斜外方向に延設され、衣類の左右の肩の内面にそれぞれ当接する肩当接部、を有するハンガー台紙と、
フック部、及び、該フック部の左右外方向に延設され、前記ハンガー台紙を前記肩当接部において釣支する台紙吊着部、を有するハンガー本体と、
からなる紙製ハンガーを衣類に装着する工程と、
前記紙製ハンガーを装着した衣類を、容器内に平積みして梱包体を形成する工程と、を含み、
ここで、
前記ハンガー台紙及び前記ハンガー本体は、それぞれ一枚の紙から形成され、
前記ハンガー本体は、前記フック部及び前記台紙吊着部をそれぞれ有しかつ前記フック部において折曲線を介して連設された２つのハンガー部材からなり、
前記ハンガー台紙の前記身頃当接部は、左右一対のスリットを有し、前記肩当接部は該スリットへの係止片を有し、
前記ハンガー台紙の前記肩当接部を前記ハンガー本体の前記台紙吊着部に巻着し、前記係止片を前記スリットに係止させることにより、前記ハンガー台紙を前記ハンガー本体に掛着し得る、衣類梱包体製造方法。
［７］  前記工程において、衣類は、少なくともその身頃において折り畳まれない、［６］の衣類梱包体製造方法。
［８］  前記工程において、前記紙製ハンガーを装着した衣類を前記容器内で上下交互に積み上げる、［６］又は［７］の衣類梱包体製造方法。
［９］  前記紙製ハンガーが、板紙製である、［７］〜［８］のいずれかの衣類梱包体製造方法。
【０００６】
［１０］  衣類が容器に収容された梱包体であって、
衣類の身頃の内面に当接する身頃当接部、及び、該身頃当接部から左右斜外方向に延設され、衣類の左右の肩の内面にそれぞれ当接する肩当接部、を有するハンガー台紙と、
フック部、及び、該フック部の左右外方向に延設され、前記ハンガー台紙を前記肩当接部において釣支する台紙吊着部、を有するハンガー本体と、
からなる紙製ハンガーが装着された衣類が、容器内に平積みされた梱包体；
ここで、
前記ハンガー台紙及び前記ハンガー本体は、それぞれ一枚の紙から形成され、
前記ハンガー本体は、前記フック部及び前記台紙吊着部をそれぞれ有しかつ前記フック部において折曲線を介して連設された２つのハンガー部材からなり、
前記ハンガー台紙の前記身頃当接部は、左右一対のスリットを有し、前記肩当接部は該スリットへの係止片を有し、
前記ハンガー台紙の前記肩当接部を前記ハンガー本体の前記台紙吊着部に巻着し、前記係止片を前記スリットに係止させることにより、前記ハンガー台紙を前記ハンガー本体に掛着し得る。
［１１］  衣類は、少なくともその身頃において折り畳まれていない、［１０］の衣類梱包体。
［１２］  前記紙製ハンガーを装着した衣類が前記容器内で上下交互に積み上げている、［１０］又は［１１］の衣類梱包体。
［１３］  前記紙製ハンガーが、板紙製である、［１０］〜［１２］のいずれかの衣類梱包体。
【０００７】
［１４］  衣類の身頃の内面に当接する身頃当接部、及び、該身頃当接部から左右斜外方向に延設され、衣類の左右の肩の内面にそれぞれ当接する肩当接部、を有するハンガー台紙と、
フック部、及び、該フック部の左右外方向に延設され、前記ハンガー台紙を前記肩当接部において釣支する台紙吊着部、を有するハンガー本体と、
からなる紙製ハンガーであり、
前記ハンガー台紙及び前記ハンガー本体は、それぞれ一枚の紙から形成され、
前記ハンガー本体は、前記フック部及び前記台紙吊着部をそれぞれ有しかつ前記フック部において折曲線を介して連設された２つのハンガー部材からなり、
前記ハンガー台紙の前記身頃当接部は、左右一対のスリットを有し、前記肩当接部は該スリットへの係止片を有し、
前記ハンガー台紙の前記肩当接部を前記ハンガー本体の前記台紙吊着部に巻着し、前記係止片を前記スリットに係止させることにより、前記ハンガー台紙を前記ハンガー本体に掛着し得る、紙製ハンガー。
［１５］  板紙製である、［１４］の紙製ハンガー。
【発明の効果】
【０００８】
本発明により、移送中のしわや型崩れの発生を防ぎつつコンテナへの収容量を増やして移送効率を高めることが可能な衣類移送方法が提供される。
【図面の簡単な説明】
【０００９】
【図１】本発明に係る紙製ハンガーのハンガー本体の構成を示す図である。
【図２】本発明に係る紙製ハンガーのハンガー台紙の構成を示す図である。
【図３】本発明に係る紙製ハンガーの構成を示す図である。
【図４】本発明に係る紙製ハンガーの組み立て手順を示す図である。
【図５】本発明に係る紙製ハンガーの組み立て手順を示す図である。
【図６】本発明に係る紙製ハンガーの組み立て手順を示す図である。
【図７】本発明に係る紙製ハンガーの組み立て手順を示す図である。
【図８】本発明に係る紙製ハンガーの組み立て手順を示す図である。
【図９】本発明に係る紙製ハンガーの組み立て手順を示す図である。
【図１０】本発明に係る紙製ハンガーの衣類（上着類）への装着図である。
【図１１】本発明に係る紙製ハンガーの衣類（ワンピース）への装着図である。
【図１２】本発明に係る衣類の梱包方法の一実施形態を示す図である。
【発明を実施するための形態】
【００１０】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。
【００１１】
１．紙製ハンガー
本発明に係る衣類移送方法に用いられる紙製ハンガーの構成を図１〜図３を参照して説明する。
本発明に係る紙製ハンガー１は、ハンガー本体２（図１参照）とハンガー台紙３（図２参照）とからなる。ハンガー本体２とハンガー台紙３は、それぞれ一枚の紙から形成される。紙は、特に限定されないが、ボール紙及び厚紙等の板紙が好ましい。
【００１２】
ハンガー本体１は、２つのハンガー部材２１，２２からなる。ハンガー部材２１，２２は、折曲線２３を介して連設されている。折曲線２３を含む以下に説明する曲折線は、紙を折り曲げや易くするための加工（スジ加工等）が施されていてもよい。
【００１３】
ハンガー部材２１は、フック部２１１及びフック部補強片２１２を有する。フック部補強片２１２は、曲折線２１ａで折り曲げられてフック部２１１と重ね合わせられることにより、フック部２１１の強度を補強する。フック部２１１の形状は、紙製ハンガー１の吊り下げが可能な限り特に限定されず、従来のプラスチック製あるいは紙製のハンガーと同様のフック形状であってよい。フック部補強片２１２は、曲折線２１ａで折り曲げられた際にフック部２１１と重なり合う形状を有する。
【００１４】
ハンガー部材２１は、フック部２１１の左右外方向に延設された台紙吊着部２１３を有する。台紙吊着部２１３には、後述するハンガー台紙３の肩当接部３２，３２が巻着される。台紙吊着部２１３には、スリット２１７が設けられている。スリット２１７は、ハンガー部材２２の係止片２２７（後述する）が挿入される。
【００１５】
ハンガー部材２１は、台紙吊着部補強片２１４，２１４をも有する。台紙吊着部補強片２１４，２１４と台紙吊着部２１３との接続部には曲折線２１ｂ，２１ｂが形成されており、該接続部の内側にさらに曲折線２１ｃ，２１ｃが形成されている。
【００１６】
ハンガー部材２１は、係止部２１５を有する。係止部２１５とフック部２１１との接続部には曲折線２１ｄが形成されており、曲折線２１ｄ上の一部にはスリット２１６が形成されている。スリット２１６は、ハンガー部材２２の係止片２２５（後述する）が挿入される。
【００１７】
ハンガー部材２２も、フック部２２１及びフック部補強片２２２を有する。部補強片２２２は、曲折線２２ａで折り曲げられてフック部２２１と重ね合わせられることにより、フック部２２１の強度を補強する。フック部２２１の形状も、紙製ハンガー１の吊り下げが可能な限り特に限定されず、従来のプラスチック製あるいは紙製のハンガーと同様のフック形状であってよい。フック部補強片２２２は、曲折線２２ａで折り曲げられた際にフック部２２１と重なり合う形状を有する。
【００１８】
ハンガー部材２２も、フック部２２１の左右外方向に延設された台紙吊着部２２３を有する。台紙吊着部２２３には、後述するハンガー台紙３の肩当接部３２，３２が巻着される。
【００１９】
ハンガー部材２２は、係止片２２５が形成された係止部２２４を有する。係止部２２４とフック部２２１との接続部には曲折線２２ｂが形成されている。係止片２２５と係止部２２４との接続部には曲折線２２ｃが形成されている。係止片２２５は、ハンガー部材２１のスリット２１６に挿入され係止する。
【００２０】
ハンガー部材２２は、係止片２２７が形成された係止部２２６をも有する。係止部２２６と台紙吊着部２２３との接続部には曲折線２２ｄが形成されている。係止片２２７は、係止部２２６との接続部が切込まれた形状を有する。係止片２２７は、ハンガー部材２１のスリット２１７に挿入され係止する。
【００２１】
ハンガー台紙３は、身頃当接部３１と、身頃当接部３１から左右斜外方向に延設された肩当接部３２，３２を有する。身頃当接部３１は、紙ハンガー１の衣類への装着時において、衣類の身頃の内面に当接する。また、肩当接部３２，３２は、紙ハンガー１の衣類への装着時において、衣類の左右の肩の内面にそれぞれ当接する。
衣類としては、肩と身頃を有するものであれば特に限定されないが、スーツ、ジャケット、ブレザー、ジャンパー、ブルゾン、ブラウス、シャツ、ベスト及びカーディガンなどの上着類に加えて、コート並びにワンピースが挙げられる。上着類、コート及びワンピースの着丈や袖の有無及び丈などは任意であってよい。
【００２２】
身頃当接部３１は、左右一対のスリット３１１，３１１を有する。
身頃当接部３１は、衣類の身頃の形状に適合するように、衣類の着丈や胴回りに応じて適当な形状に設定される。例えば、身頃当接部３１は、衣類の身頃と同幅であるか、同幅よりやや細くされる。また、例えば、身頃当接部３１は、衣類の着丈と同丈であるか、同丈よりやや長くされる。身頃当接部３１は、衣類のウエストの絞りに合わせて細く形成された部分を有していてもよい。
【００２３】
肩当接部３２，３２は、係止片３２１，３２１を有する。係止片３２１，３２１は、肩当接部３２，３２との接続部が切込まれた形状を有する。係止片３２１，３２１は、スリット３１１，３１１へ挿入されて係止する。
【００２４】
紙製ハンガー１は、ハンガー本体２の台紙吊着部２１３，２２３にハンガー台紙３の肩当接部３２，３２を巻着することにより組み立てられるものである（図３参照）。以下、図４〜図１０を参照して、紙製ハンガー１の組み立て手順を説明する。
【００２５】
まず、ハンガー部材２１のフック部補強片２１２を曲折線２１ａで折り曲げてフック部２１１に重ねあわせる（図４参照）。なお、図４は、図１に示したハンガー本体１を、裏表をひっくり返して置いた状態を示す。同様に、ハンガー部材２２のフック部補強片２２２も曲折線２２ａで折り曲げてフック部２２１に重ね合わせる。
【００２６】
次に、ハンガー部材２１の台紙吊着部補強片２１４，２１４を曲折線２１ｂ，２１ｂ及び曲折線２１ｃ、２１ｃで折り曲げて反転させる（図５参照）。ハンガー部材２１の係止部２１５とハンガー部材２２の係止部２２６も、それぞれ曲折線２１ｄと曲折線２２ｄで折り曲げておく。
【００２７】
続いて、ハンガー部材２１を曲折線２３で折り曲げてハンガー部材２２に重ね合わせる（図６参照）。ハンガー部材２２の係止片２２７を、ハンガー部材２１のスリット２１７に挿入して係止させる。そして、ハンガー部材２２の係止部２２４を曲折線２２ｂで折り曲げてハンガー部材２１の係止部２１５に重ね合わせる。さらに、係止片２２５を曲折線２２ｃで折り曲げてハンガー部材２１のスリット２１７に挿入し係止させる（図７参照）。
【００２８】
この状態で、紙製ハンガー１は、ハンガー部材２１のフック部２１１及びフック部補強片２１２と、ハンガー部材２２のフック部２２１及びフック部補強片２２２と、が四重に重なりあうこととなる。紙製ハンガー１は、当該重なり部分において高い強度を発揮する。
【００２９】
最後に、ハンガー台紙３の肩当接部３２，３２をハンガー本体１の台紙吊着部２１３，２２３（図１も参照）に巻着し、係止片３２１，３２１をスリット３１１，３１１に係止させ、ハンガー台紙３をハンガー本体２に掛着する（図８参照）。なお、図８は、図７に示したハンガー本体１を、裏表をひっくり返して置いた状態を示す。これにより、ハンガー本体２の台紙吊着部２１３，２２３によって、ハンガー台紙３の肩当接部３２，３２が釣支される（図９参照）。
【００３０】
図１０及び図１１に、紙製ハンガー１を衣類に装着した状態を示す。図１０は上着類への装着状態、図１１はワンピースへの装着状態である。
ハンガー台紙３の肩当接部３２，３２は、衣類の左右の肩の内面にそれぞれ当接している。また、ハンガー台紙３の身頃当接部３１は、衣類の身頃の内面に当接している。身頃当接部３１は、衣類の身頃の形状に適合するように、衣類の着丈や胴回りに応じて適当な形状に設定されている。衣類は、肩及び身頃の形状が肩当接部３２，３２及び身頃当接部３１によって保持される状態となっている。衣類の袖は、必要に応じて身頃側に折り返されてもよい。
【００３１】
２．衣類移送方法・衣類梱包体製造方法・衣類梱包体
本発明に係る衣類移送方法は、上述の本発明に係る紙製ハンガー１を衣類に装着する手順と、紙製ハンガー１を装着した衣類（図１０及び図１１参照）を、容器内に平積みして梱包体を形成する手順と、
梱包体を移送元から移送先に移送する手順と、を含む。
【００３２】
紙製ハンガー１を装着した衣類は、肩及び身頃の形状が肩当接部３２，３２及び身頃当接部３１によって保持される状態となっている。このため、紙製ハンガー１を装着した衣類は、容器内に平積みしても、少なくともその身頃において折り畳まれることがなく、しわや型崩れの発生が防止される。なお、衣類の袖は、必要に応じて身頃側に折り返されてもよいものとする。しわ等の発生を効果的に防止でき、かつ上述したような簡単な手順で組み立てが可能な紙製ハンガーは、これまで存在しなかった。
【００３３】
また、梱包体の移送時にも、身頃当接部３１が衣類の身頃の形状を維持するように機能するため、揺れや振動、圧力が梱包体にかかったとしても、衣類にしわや型崩れが発生し難い。
【００３４】
梱包時は、紙製ハンガー１を装着した衣類は、容器内で衣類の上下が交互となるように積み上げることが好ましい（図１２参照）。これによって、容器内への衣類の収容量をさらに増やし、移送効率を高めることができる。本発明は、ここに説明される、紙製ハンガー１が用いられた衣類の梱包体及び該梱包体の製造方法をも提供するものである。
【００３５】
容器には、通常段ボール箱が用いられるが、特に限定されず例えばプラスチック製や金属製の容器であっても用いることができる。容器の形状や大きさは、紙製ハンガー１を装着した衣類の形状に適合するように適宜設定すればよい。例えば、容器の幅は、紙製ハンガー１を装着した衣類の幅と同幅であるか、同幅よりやや大きくされる。また、例えば、容器の長さは、紙製ハンガー１を装着した衣類の丈と同丈であるか、同丈よりやや長くされる。容器の深さは、目的の収容量に応じて適宜設定すればよい。
【００３６】
移送の方法は、トラックや列車等による陸上輸送であっても、船による海上輸送であってもよい。移送の方法には、さらには飛行機による航空輸送も含まれ得る。
【００３７】
移送元及び移送先は、衣類の製造地及び検品地であり得る。
従来、衣類の製造地から検品地への移送は、ハンガーを用いることなく、畳んだ衣類を段ボール箱等に梱包して行われる場合が多かった。このような場合は、衣類のしわや型崩れの発生が問題となるばかりではなく、検品地での検品のために衣類をハンガーにかける手間が必要となり、さらに検品後には販売地等へ移送するために衣類からハンガーを外して再梱包しなければならなかった。
一方、本発明に係る衣類移送方法によれば、上述のとおりしわや型崩れの発生が防止できるとともに、検品地で紙製ハンガー１が装着された衣類をそのまま吊り下げて検品ができ、検品後も衣類から紙製ハンガー１を外すとなく再梱包すればよいため、ハンガーの取り付け／取り外しの手間を省くことができる。なお、再梱包では、開梱前と同一の容器に衣類が戻される必要はない。
また、従来、プラスチック製ハンガーに吊り下げた衣類をハンガーコンテナやハンガートラックに収容して移送することも行われている。この場合には、コンテナへの収容量が限られ輸送効率が低く、プラスチック製ハンガーのコストが嵩むという問題があった。
一方、本発明に係る衣類移送方法によれば、上述のとおりしわや型崩れの発生を抑えつつ衣類を容器内に平積みできるので、容器への収容量を増やし移送効率を大幅に高めることができる。また、本発明に係る衣類移送方法によれば、紙製ハンガーの使用によりコストも抑制できる。
【００３８】
移送元及び移送先は、衣類の検品地あるいは製造地から販売地であってもよい。
ハンガーコンテナ等を用いて衣類をプラスチック製ハンガーに吊り下げた状態で移送する従来方法では、販売地における移送用プラスチック製ハンガーから展示用ハンガーへの付け替えの際に、移送用プラスチック製ハンガーの処分に手間がかかっていた。
一方、本発明に係る衣類移送方法によれば、軽量で、容易に廃棄が可能な紙製ハンガーを使用できるため、販売地における移送用ハンガーの処分の問題も解決できる。
【符号の説明】
【００３９】
１：紙製ハンガー
２：ハンガー本体
２１，２２：ハンガー部材
２１ａ，２１ｂ，２１ｃ，２１ｄ，２２ａ，２２ｂ，２２ｃ，２２ｄ，２３：曲折線
２１１，２２１：フック部
２１２，２２２：フック部補強片
２１３，２２３：台紙吊着部
２１４：台紙吊着部補強片
２１５，２２４，２２６：係止部
２２５，２２７，３２１：係止片
２１６，２１７，３１１：スリット
３：ハンガー台紙
３１：身頃当接部
３２：肩当接部
【図１】
2019151364.tif 000003
【図２】
2019151364.tif 000004
【図３】
2019151364.tif 000005
【図４】
2019151364.tif 000006
【図５】
2019151364.tif 000007
【図６】
2019151364.tif 000008
【図７】
2019151364.tif 000009
【図８】
2019151364.tif 000010
【図９】
2019151364.tif 000011
【図１０】
2019151364.tif 000012
【図１１】
2019151364.tif 000013
【図１２】
2019151364.tif 000014